【事件の表示】
　特許第３２５２７５０号「オープニングトリム」の請求項１ないし３に係る特許に対する特許異議の申立てについて、次のとおり決定する。
【結　論】
　訂正を認める。
　特許第３２５２７５０号の請求項１ないし３に係る特許を維持する。
【理　由】
【１】手続の経緯
　本件特許第３２５２７５０号（以下、「本件特許」という。）は、平成９年４月１１日付けの特許出願に係り、平成１３年１１月２２日にその請求項１ないし３に係る発明について特許権の設定登録がなされたものであり、その後、平成１４年７月１５日に特許異議申立人・宮首一生より、全請求項に係る発明の特許に対して特許異議の申立てがあったので、当審において当該申立ての理由を検討の上、平成１４年１１月１５日付けで特許取消理由を通知したところ、その通知書で指定した期間内である平成１５年１月２２日に特許異議意見書と共に訂正請求書が提出されたものである。
　
【２】訂正の適否について
１．訂正の要旨
　上記平成１５年１月２２日付けの訂正請求は、願書に添付した明細書を訂正請求書に添付した訂正明細書のとおり訂正することを求めるものであるが、その訂正の要旨は、次の訂正事項ａ及びｂのとおりのものと認める。
《訂正事項ａ》
　願書に添付した明細書の【特許請求の範囲】の記載について、
　「【請求項１】　押出成形体（１０）が二箇所の折曲部（２ａｂ，２ａｃ）で断面略コ字状に折曲されることにより一つの連結壁（２ａ）と一方の側壁（２ｂ）及び他方の側壁（２ｃ）とが形成されてなるトリム部（２）と、前記トリム部（２）から延出して他方の側壁（２ｃ）の側方へ傾斜して延びる意匠リップ部（４）とを備えたオープニングトリムにおいて、
　前記意匠リップ部（４）の延出の基端を前記折曲部（２ａｃ）にかからない前記連結壁（２ａ）に位置させ、一方の側壁（２ｂ）より他方の側壁（２ｃ）の方が低くなるように前記連結壁（２ａ）を傾斜させることにより、前記意匠リップ部（４）が前記他方の側壁（２ｃ）の側方へ傾斜して延びるようにしたことを特徴とするオープニングトリム。
　　【請求項２】　押出成形体（１０）が二箇所の折曲部（２ａｂ，２ａｃ）で断面略コ字状に折曲されることにより一つの連結壁（２ａ）と一方の側壁（２ｂ）及び他方の側壁（２ｃ）とが形成されてなるトリム部（２）と、前記トリム部（２）から延出して他方の側壁（２ｃ）の側方へ傾斜して延びる意匠リップ部（４）とを備えたオープニングトリムにおいて、
　前記意匠リップ部（４）の延出の基端を前記折曲部（２ａｃ）にかからない前記連結壁（２ａ）に位置させ、前記連結壁（２ａ）を押出成形体（１０）に埋設された板金インサート（１２）とともに傾斜させることにより、前記意匠リップ部（４）が前記他方の側壁（２ｃ）の側方へ傾斜して延びるようにしたことを特徴とするオープニングトリム。
　　【請求項３】　前記連結壁（２ａ）の傾斜角度は、一方の側壁（２ｂ）への垂線（Ｌ）に対する連結壁（２ａ）の板金インサート（１２）の傾斜角度（θ）で表して１０度〜４５度である請求項２記載のオープニングトリム。」とあるのを、
　「【請求項１】　押出成形体（１０）
のうちの平板部（１１）
　前記意匠リップ部（４）の延出の基端を前記折曲部（２ａｃ）にかからない前記連結壁（２ａ）に位置させ、一方の側壁（２ｂ）より他方の側壁（２ｃ）の方が低くなるように前記連結壁（２ａ）を傾斜させることにより、前記意匠リップ部（４）が
、その先端が前記他方の側壁（２ｃ）の側方に位置するように、該
　　【請求項２】　押出成形体（１０）
のうちの平板部（１１）
　前記意匠リップ部（４）の延出の基端を前記折曲部（２ａｃ）にかからない前記連結壁（２ａ）に位置させ、前記連結壁（２ａ）を押出成形体（１０）に埋設された板金インサート（１２）とともに傾斜させることにより、前記意匠リップ部（４）が
、その先端が前記他方の側壁（２ｃ）の側方に位置するように、該
　　【請求項３】　前記連結壁（２ａ）の傾斜角度は、一方の側壁（２ｂ）への垂線（Ｌ）に対する連結壁（２ａ）の板金インサート（１２）の傾斜角度（θ）で表して１０度〜４５度である請求項２記載のオープニングトリム。」と訂正する。
《訂正事項ｂ》
　願書に添付した明細書の段落【０００９】の記載について、
　「【課題を解決するための手段】
　上記目的を達成するために、本発明では、押出成形体が二箇所の折曲部で断面略コ字状に折曲されることにより一つの連結壁と一方の側壁及び他方の側壁とが形成されてなるトリム部と、トリム部から延出して他方の側壁の側方へ傾斜して延びる意匠リップ部とを備えたオープニングトリムにおいて、意匠リップ部の延出の基端を折曲部にかからない連結壁に位置させ、一方の側壁より他方の側壁の方が低くなるように連結壁を傾斜させることにより、意匠リップ部が他方の側壁の側方へ傾斜して延びるようにしたことを特徴とする。
　また、別の本発明では、押出成形体が二箇所の折曲部で断面略コ字状に折曲されることにより一つの連結壁と一方の側壁及び他方の側壁とが形成されてなるトリム部と、トリム部から延出して他方の側壁の側方へ傾斜して延びる意匠リップ部とを備えたオープニングトリムにおいて、意匠リップ部の延出の基端を折曲部にかからない連結壁に位置させ、連結壁を押出成形体に埋設された板金インサートとともに傾斜させることにより、意匠リップ部が他方の側壁の側方へ傾斜して延びるようにしたことを特徴とする。」とあるのを、
　「【課題を解決するための手段】
　上記目的を達成するために、本発明では、押出成形体
のうちの平板部
、その先端部が他方の側壁の側方に位置するように、該
　また、別の本発明では、押出成形体
のうちの平板部
、その先端が他方の側壁の側方に位置するように、該
　
２．訂正の目的の適否
　上記訂正事項ａは、請求項１及び２の記載について、押出成形体（１０）「のうちの平板部（１１）」が二箇所の折曲部（２ａｂ，２ａｃ）で断面略コ字状に折曲されることを明確にして限定するとともに、意匠リップ部（４）が「、その先端が前記他方の側壁（２ｃ）の側方に位置するように、」該側方へ傾斜して延びるようにしたことを明確にして限定するものであるので、特許請求の範囲の減縮を目的とした明細書の訂正に該当する。
　また、上記訂正事項ｂは、上記訂正事項ａと整合を図るものであるので、明りょうでない記載の釈明を目的とした明細書の訂正に該当する。
　
３．新規事項の有無、特許請求の範囲の拡張・変更の存否
　上記訂正事項ａは、願書に添付した明細書の段落【００１２】、【００１５】及び図１の記載に基づくものであるので、願書に添付した明細書又は図面に記載した事項の範囲内のものであり、また、実質上特許請求の範囲を拡張し、又は変更するものではない。
　また、上記訂正事項ｂも、願書に添付した明細書又は図面に記載した事項の範囲内のものであり、また、実質上特許請求の範囲を拡張し、又は変更するものではない。
　
４．むすび
　以上のとおりであるから、上記訂正は、特許法第１２０条の４第２項及び同条第３項において準用する特許法第１２６条第２項、第３項の規定に適合するので、当該訂正を認める。
　
【３】特許異議の申立てについて
１．申立ての理由の概要
　特許異議申立人・宮首一生は、甲第１号証（実公平３−２６０４３号公報）及び甲第２号証（特公平３−８０６６３号公報）を証拠として提出して、本件特許の請求項１ないし３に係る発明は、甲第１号証及び甲第２号証に記載された発明に基いて、当業者が容易に発明をすることができたものであるから、本件特許の請求項１ないし３に係る発明についての特許は、特許法第２９条第２項の規定に違反してされたものであり、特許法第１１３条第２号に該当し、取り消されるべきものである旨主張している。
　
２．本件発明
　上記【２】で示したように上記訂正が認められるから、本件特許の請求項１ないし３に係る発明は、上記訂正に係る訂正明細書の特許請求の範囲の請求項１ないし３に記載された事項により特定されるとおりのものである。（上記【２】１．《訂正事項ａ》、参照）
　
３．引用刊行物とその記載事項
　特許異議申立人・宮首一生が証拠として提出した刊行物とその記載事項は、次のとおりである。
　
　刊行物１：実公平３−２６０４３号公報（甲第１号証）
　刊行物２：特公平３−８０６６３号公報（甲第２号証）
　
３−１．刊行物１（実公平３−２６０４３号公報）の記載事項
　刊行物１には、「トリムルーフ」に関して、図面第１〜６図と共に、次の事項が記載されている。
　ア）「第４図において、トリム部１はインサートをモールドした合成樹脂で成型され、その断面形状がＵ字状を呈しており、その内側が板状物の先端を挟持するように弾性を有する突片２を有している。パッド部３のその内側をトリム部１のＵ字状の外側の６〜７割を接合面とすると共に、その外側は意匠的効果を得るものである。そして、全体としてパッド部３に加えられる外力を緩衝する機能を有するものである。
　前記トリム部１とパッド部３とは、前述のようにＵ字状のトリム部１の外形の６〜７割、即ち、図のａ点からｂ点に至る間をパッド部３と加硫接着等の接合手段によって接着している。」（第２頁第３欄第１０〜２２行）
　イ）「トリム部１とパッド部３との連結部はａ〜ｂ間で行われており、パッド部３側の連結部は、トリム部１のＵ字状の最下端部が前記連結部の端部ｂとなっている。前記パッド部３は連結部の端部ｂで段差３ｃが形成されている。前記連結部のａ〜ｂ間は加硫接着等の接着手段で接合したものである。なお、前記連結部のａ〜ｂ間は接着手段で接合してもよいし、トリム部１とパッド部３とを一体に成型してもよい。前者のように接着手段で連結したものでは、パッド部の厚みを均一化できるからその表面にヒケが生ずることがない。また、一体に成型したものにおいては、製造コストが有利である。」（第２頁第４欄第３９行〜第３頁第５欄第７行）
　
　上記記載事項イのとおり、刊行物１には、「トリム部１とパッド部３とを一体に成型してもよい」旨が記載されており、当該一体成形したものにおいて、端部３ａと連結部の端部ｂとの間のパッド部３の部分は、「断面Ｕ字状のトリム部１から延出してトリム部１の側壁の側方へ傾斜して延びる意匠リップ部」とみることができる。
　そうすると、上記記載事項ア、イ及び図面第１〜６図の記載を総合すると、刊行物１には、
「断面Ｕ字状のトリム部１から延出してトリム部１の側壁の側方へ傾斜して延びる意匠リップ部を備えたトリムルーフにおいて、
　前記意匠リップ部の延出の基端をトリム部１の折曲部に位置させ、前記意匠リップ部が、その先端が前記トリム部１の側壁の側方に位置するように、該側方へ傾斜して延びるようにしたトリムルーフ」
が記載されていると認められる。
　
３−２．刊行物２（特公平３−８０６６３号公報）の記載事項
　刊行物２には、「自動車用ウエザストリップ」に関して、図面第２図と共に、次の事項が記載されている。
　ウ）「第２図に示す第１の実施例において、ウエザストリップのトリム部２はソリッドゴムで、互いに平行な側壁２ａ，２ｂと、これ等をつなぐ奥壁２ｃよりなる断面Ｕ字形で、内部に保形用芯材５が埋設してある。保形用芯材５は多数のＵ字形の芯材片が配列されてなり、トリム部２は屈曲可能である。トリム部２は均一厚さとしてある。側壁２ａ，２ｂの内面からはフランジ保持リップ６が突出している。側壁２ａの長さは側壁２ｂよりも長く形成してあり、奥壁２ｃは側壁２ａとなす内角が鋭角となる方向に傾斜せしめてある。芯材５の奥壁も同方向に傾斜せしめてある。側壁２ａの先端にはスポンジゴムのシールリップ４が形成してある。また、側壁２ａの外面にはスポンジゴムの中空シール部３が形成してある。
　このウエザストリップを製造するには、先ず押出成形にて、芯材５が埋設された平板帯状のトリム部２の一方の面の端部から中空シール部３が突出する中間製品を得る。次いで中間製品のトリム部２を第２図に示すＵ字状に曲げ加工することにより最終製品を得る。」（第２頁第４欄第１０〜３０行）
　
　上記記載事項ウにおいては、「トリム部２」の形状は「断面Ｕ字形」とされているが、図面第２図の記載からみて実質上「断面略コ字形」といえるものである。
　そうすると、上記記載事項ウ及び図面第２図の記載を総合すると、刊行物２には、
「押出成形体のうちの平板部が二箇所の折曲部で断面略コ字形に折曲されることにより一つの奥壁２ｃと一方の側壁２ａ及び他方の側壁２ｂとが形成されてなるトリム部２を備えたウエザストリップにおいて、
　一方の側壁２ａより他方の側壁２ｂの方が低くなるように前記奥壁２ｃを傾斜させたウエザストリップ」
が記載されていると認められる。
　
４．対比・判断
４−１．本件特許の請求項１に係る発明について
　まず、本件特許の請求項１に係る発明と刊行物１記載のものとを対比すると、両者は、「トリム部から延出して他方の側壁の側方へ傾斜して延びる意匠リップ部を備えたオープニングトリムにおいて、前記意匠リップ部の延出の基端をトリム部に位置させ、前記意匠リップ部が、その先端が前記他方の側壁の側方に位置するように、該側方へ傾斜して延びるようにしたオープニングトリム」である点で一致している。
　しかしながら、刊行物１記載のものは、トリム部１の断面形状はＵ字状であり、意匠リップ部の延出の基端をトリム部１の折曲部に位置させたものであるので、刊行物１には、本件特許の請求項１に係る発明の「押出成形体（１０）のうちの平板部（１１）が二箇所の折曲部（２ａｂ，２ａｃ）で断面略コ字状に折曲されることにより一つの連結壁（２ａ）と一方の側壁（２ｂ）及び他方の側壁（２ｃ）とが形成されてなるトリム部（２）を備えたオープニングトリムにおいて、前記意匠リップ部（４）の延出の基端を前記折曲部（２ａｃ）にかからない前記連結壁（２ａ）に位置させ、一方の側壁（２ｂ）より他方の側壁（２ｃ）の方が低くなるように前記連結壁（２ａ）を傾斜させることにより、前記意匠リップ部（４）が、その先端が前記他方の側壁（２ｃ）の側方に位置するように、該側方へ傾斜して延びるようにしたこと」は記載も示唆もされていない。
　次に、本件特許の請求項１に係る発明と刊行物２記載のものとを対比すると、刊行物２記載のものの「奥壁２ｃ」、「一方の側壁２ａ」、「他方の側壁２ｂ」は、それぞれ、本件特許の請求項１に係る発明の「連結壁（２ａ）」、「一方の側壁（２ｂ）」、「他方の側壁（２ｃ）」に相当し、また、刊行物２記載のものの「ウエザストリップ」は、「オープニングトリム」の一種といえるものであるので、本件特許の請求項１に係る発明と刊行物２記載のものとは、「押出成形体のうちの平板部が二箇所の折曲部で断面略コ字状に折曲されることにより一つの連結壁と一方の側壁及び他方の側壁とが形成されてなるトリム部を備えたオープニングトリムにおいて、一方の側壁より他方の側壁の方が低くなるように前記連結壁を傾斜させたオープニングトリム」である点で一致している。
　しかしながら、刊行物２記載のものは、意匠リップ部を備えていないので、刊行物２には、本件特許の請求項１に係る発明の「トリム部（２）から延出して他方の側壁（２ｃ）の側方へ傾斜して延びる意匠リップ部（４）」を備え、「前記意匠リップ部（４）の延出の基端を前記折曲部（２ａｃ）にかからない前記連結壁（２ａ）に位置させ」、「前記意匠リップ部（４）が、その先端が前記他方の側壁（２ｃ）の側方に位置するように、該側方へ傾斜して延びるようにしたこと」は記載も示唆もされていない。
　そうすると、刊行物１及び刊行物２のいずれにも、本件特許の請求項１に係る発明の「前記意匠リップ部（４）の延出の基端を前記折曲部（２ａｃ）にかからない前記連結壁（２ａ）に位置させ」、「前記連結壁（２ａ）を傾斜させることにより、前記意匠リップ部（４）が、その先端が前記他方の側壁（２ｃ）の側方に位置するように、該側方へ傾斜して延びるようにしたこと」という構成事項は記載も示唆もされておらず、また、上記構成事項を示す他の証拠も見あたらない。
　そして、本件特許の請求項１に係る発明は、上記構成事項を備えたことにより、「意匠リップ部の先端の位置精度を高めることができるとともに、ガーニッシュの端部が意匠リップ部の先端部分から基端寄りにばらついて組み付けられた場合でも、意匠リップ部の所定の形状と変形とを確保してガーニッシュの端部を覆い、オープニングトリムの姿勢の傾きを防止することができる」という格別の効果を奏するものである。
　したがって、本件特許の請求項１に係る発明は、刊行物１及び刊行物２に記載のものに基いて、当業者が容易に発明をすることができたものではない。
　
４−２．本件特許の請求項２に係る発明について
　本件特許の請求項２に係る発明は、請求項１に係る発明と同様の「前記意匠リップ部（４）の延出の基端を前記折曲部（２ａｃ）にかからない前記連結壁（２ａ）に位置させ」、「前記連結壁（２ａ）を……傾斜させることにより、前記意匠リップ部（４）が、その先端が前記他方の側壁（２ｃ）の側方に位置するように、該側方へ傾斜して延びるようにしたこと」という構成事項を備えたものであるので、上記４−１．で説示したのと同様の理由により、刊行物１及び刊行物２に記載のものに基いて、当業者が容易に発明をすることができたものではない。
　
４−３．本件特許の請求項３に係る発明について
　本件特許の請求項３に係る発明は、本件特許の請求項２に係る発明の構成要件をすべて含み、更に連結壁（２ａ）の傾斜角度を限定したものであるので、上記４−２．で説示したのと同様の理由により、刊行物１及び刊行物２に記載のものに基いて、当業者が容易に発明をすることができたものではない。
　
【４】むすび
　以上のとおりであるから、特許異議の申立ての理由及び証拠によっては、本件特許の請求項１ないし３に係る発明についての特許を取り消すことはできない。
　また、他に本件特許の請求項１ないし３に係る発明についての特許を取り消すべき理由を発見しない。
　よって、結論のとおり決定する。
【異議決定日】
平成１５年３月１１日（２００３．３．１１）
【訂正の要旨】
訂正の要旨
　審決（決定）の【理由】欄参照。
（５４）【発明の名称】
オープニングトリム
（５７）【特許請求の範囲】
　【請求項１】　押出成形体（１０）
のうちの平板部（１１）
　前記意匠リップ部（４）の延出の基端を前記折曲部（２ａｃ）にかからない前記連結壁（２ａ）に位置させ、一方の側壁（２ｂ）より他方の側壁（２ｃ）の方が低くなるように前記連結壁（２ａ）を傾斜させることにより、前記意匠リップ部（４）が、
その先端が前記他方の側壁（２ｃ）の側方に位置するように、該
　【請求項２】　押出成形体（１０）
のうちの平板部（１１）
　前記意匠リップ部（４）の延出の基端を前記折曲部（２ａｃ）にかからない前記連結壁（２ａ）に位置させ、前記連結壁（２ａ）を押出成形体（１０）に埋設された板金インサート（１２）とともに傾斜させることにより、前記意匠リップ部（４）が、
その先端が前記他方の側壁（２ｃ）の側方に位置するように、該
　【請求項３】　前記連結壁（２ａ）の傾斜角度は、一方の側壁（２ｂ）への垂線（Ｌ）に対する連結壁（２ａ）の板金インサート（１２）の傾斜角度（θ）で表して１０度〜４５度である請求項２記載のオープニングトリム。
【発明の詳細な説明】
　【０００１】
　【発明の属する技術分野】
　本発明は、意匠リップ部を備えたオープニングトリムに関するものである。
　【０００２】
　【従来の技術】
　図５及び図６に示すように、従来のオープニングトリム５１は、自動車のドア開口周囲部５６のフランジ５７に取り付けられるトリム部５２と、自動車のドア５８が当接する中空シール部５３と、自動車のインナガーニッシュ５９の縁部を覆う意匠リップ部５４とを含み、各部は押出成形体６０として一体に形成されている。
　【０００３】
　トリム部５２は、押出成形体６０のうちの板金インサート６２を埋設したソリッドゴム製の平板部６１が二箇所の折曲部５２ａｂ，５２ａｃで断面略コ字状に折曲されることにより形成されたものであって、一つの連結壁５２ａと二つの側壁５２ｂ，５２ｃと所定数の把持リップ５２ｄとを備えている。中空シール部５３は、平板部６１から突出するようにスポンジゴムで共押出成形された部分であって、平板部６１の折曲後には、一方の側壁５２ｂから車外側へ突出するようになっている。意匠リップ部５４は、平板部６１から延出するようにソリッドゴムで押出成形された部分であって、延出の基端が折曲部５２ａｃに位置し、平板部６１の折曲後には、その先端が他方の側壁５２ｃの側方の位置、すなわち車内側の位置のドア開口周囲部５６の外周に向かって傾斜して延びるようになっている。
　【０００４】
　【発明が解決しようとする課題】
　しかし、このオープニングトリム５１は、意匠リップ部５４の基端が折曲部５２ａｃに位置していたため、該折曲部５２ａｃで平板部６１を折曲するときの折曲位置や折曲半径の僅かな相違が、意匠リップ部５４の傾斜角度に大きな影響を与え、意匠リップ部５４の先端位置が所定の設計位置に定まらない（位置精度が低い）という問題があった。
　【０００５】
　意匠リップ部５４は、インナガーニッシュ５９の端部を覆い、かつトリム部５２との間の隙間を隠して意匠性を高めるものであって、インナガーニッシュ５９の端部の位置を考慮して、意匠リップ部５４の先端位置が設計される。しかし、上記のように、意匠リップ部５４の先端の位置精度が低いと、インナガーニッシュ５９との間に隙間が生じるおそれがあった。
　【０００６】
　また、インナガーニッシュ５９の端部の位置は、その配設部位、例えば、フロントピラー部、ルーフサイド部、センターピラー部、ロッカーアーム部等でそれぞれ異なるとともに、組み付けのばらつきによっても異なる。その結果、インナガーニッシュ５９の端部は、図６に二点鎖線で示す右側のケースのように、意匠リップ部５４の先端寄りに位置したり、図６に二点鎖線で示す左側のケースのように、意匠リップ部５４の基端寄りに位置したりする。右側のケースでは、意匠リップ部５４が所定の形状と変形でインナガーニッシュ５９の端部を覆っている。しかし、左側のケースでは、意匠リップ部５４の基端が折曲部５２ａｃに位置しているため、インナガーニッシュ５９の端部が意匠リップ部５４の途中部に突き当たり、意匠リップ部５４が実質的に変形できなくなり、オープニングトリム５１の姿勢が図６の矢印方向に傾くおそれがあった。
　【０００７】
　そこで、図７に示すように、意匠リップ部５４の基端を折曲部５２ａｃにかからない連結壁５２ａに位置させることが考えられるが、押出成形体６０の押出成形時に、意匠リップ部５４の先端が平板部６１を反対側に越えることができないことから、平板部６１の折曲後にも、意匠リップ部５４は側壁５２ｃの側方へ傾斜して延びることができない。そうなると、意匠リップ部５４はインナガーニッシュの端部を覆うことができないため、本来の機能を果さない。
　【０００８】
　本発明の目的は、上記課題を解決し、意匠リップ部の先端の位置精度を高めることができるとともに、ガーニッシュの端部が意匠リップ部の先端部分から基端寄りにばらついて組み付けられた場合でも、意匠リップ部の所定の形状と変形とを確保してガーニッシュの端部を覆い、オープニングトリムの姿勢の傾きを防止することができるオープニングトリムを提供することにある。
　【０００９】
　【課題を解決するための手段】
　上記目的を達成するために、本発明では、押出成形体
のうちの平板部
、その先端部が他方の側壁の側方に位置するように、該
　また、別の本発明では、押出成形体
のうちの平板部
、その先端が他方の側壁の側方に位置するように、該
　【００１０】
　連結壁の傾斜角度は、特に限定されないが、図１に示すように、一方の側壁２ｂへの垂線Ｌに対する連結壁２ａ（ここでは板金インサート１２部分）の傾斜角度θは１０度〜４５度が好ましい。これが１０度未満では、前記意匠リップ部の傾斜を実現しにくくなり、４５度を越えるとトリム部の曲げの形成が難しくなるからである。なお、連結壁は湾曲を伴って傾斜させてもよい。
　【００１１】
　【発明の実施の形態】
　以下、本発明をシール部のあるオープニングトリム・ウエザストリップに具体化した実施形態について、図１〜図４を参照して説明する。本実施形態のオープニングトリム１は、図１及び図３に示すように、自動車のドア開口周囲部６のフランジ７に取り付けられるトリム部２と、自動車のドア８が当接する中空シール部３と、自動車のインナガーニッシュ９の端部を覆う意匠リップ部４とを含み、各部は、図２に示すような押出成形体１０として一体に形成されている。なお、図３は図４のＩＩＩ−ＩＩＩ線におけるルーフサイド部の断面図であって、１４はルーフサイドアウタパネル、１５はルーフサイドインナパネルである。
　【００１２】
　トリム部２は、押出成形体１０のうちの板金インサート１２を埋設したＥＰＤＭ（エチレン・プロピレン・ジエン共重合体）ソリッドゴム製の平板部１１が、図１に示すように、二箇所の折曲部２ａｂ，２ａｃで断面略コ字状に折曲されることにより形成されたものであって、一つの連結壁２ａと二つの側壁２ｂ，２ｃと所定数の把持リップ２ｄとを備えている。このトリム部２は、把持リップ２ｄによる把持力と板金インサート１２の形状保持力とによって、フランジ７に装着される。
　【００１３】
　一方の側壁２ｂより他方の側壁２ｃの方が低く（側壁の開放端からみた高さが低いことを意味する。）形成されることにより、連結壁２ａは傾斜するようになっている。前述した図１中の連結壁２ａの傾斜角度θは、本実施形態では約３０度である。
　【００１４】
　中空シール部３は、平板部１１から突出するようにＥＰＤＭスポンジゴムで共押出成形された部分であって、平板部１１の折曲後には、一方の側壁２ｂから車外側へ突出するようになっている。
　【００１５】
　意匠リップ部４は、平板部１１から延出するようにＥＰＤＭソリッドゴムで押出成形された部分であって、延出の基端が折曲部２ａｃにかからない連結壁２ａに位置するようになっている。また、平板部１１の折曲後には、前記連結壁２ａの傾斜に伴って、意匠リップ部４が他方の側壁２ｃの側方の位置、すなわち車内側の位置のドア開口周囲部の外周に向かって傾斜して延びるようになっている。なお、押出成形時、意匠リップ部４の先端は平板部１１の表面と接触するようにして押し出されるため、図５の従来例のように自由端として押し出される場合と比べると、ゴムが加硫されてその形状が安定するまで、意匠リップ部４の傾斜形状を保持でき、先端の位置精度を高くすることができる。
　【００１６】
　以上のように構成されたオープニングトリム１は、意匠リップ部４の基端が折曲部２ａｃにかからない連結壁２ａに位置しているため、該折曲部２ａｃで平板部１１を折曲するときの折曲位置や折曲半径が多少相違したとしても、意匠リップ部４の傾斜角度に影響を与えないため、意匠リップ部４の先端位置が設計位置に定まる（位置精度が高くなる）。従って、意匠リップ部４とインナガーニッシュ９との間に隙間が生じない。
　【００１７】
　また、前述したように、インナガーニッシュ９の端部の位置は、その配設部位や組み付けのばらつきによって異なる結果、図３に二点鎖線で示す右側のケースのように、意匠リップ部４の先端寄りに位置したり、図３に二点鎖線で示す左側のケースのように、意匠リップ部４の基端寄りに位置したりする。右側のケースでは、問題なく意匠リップ部４が所定の形状と変形でインナガーニッシュ９の端部を覆う。また、左側のケースでも、意匠リップ部４の基端が折曲部２ａｃにかからない連結壁２ａに奥まって位置しているため、意匠リップ部４の所定の形状と変形が確保される。従って、インナガーニッシュ９の端部を確実に覆うとともに、意匠リップ部４が変形するだけでオープニングトリム１全体の姿勢は傾かない。
　【００１８】
　なお、本発明は前記実施形態に限定されるものではなく、例えば以下のように、発明の趣旨から逸脱しない範囲で適宜変更して具体化することもできる。
　【００１９】
（１）中空シール部３を備えていないオープニングトリムに具体化すること。
（２）ドア以外の開閉部材が当接するシール部を備えたオープニングトリムに具体化すること。
　【００２０】
　【発明の効果】
　以上詳述したように、本発明のオープニングトリムによれば、意匠リップ部の先端の位置精度を高めることができるとともに、ガーニッシュの端部が意匠リップ部の先端部分から基端寄りにばらついて組み付けられた場合でも、意匠リップ部の所定の形状と変形とを確保してガーニッシュの端部を覆い、オープニングトリムの姿勢の傾きを防止することができる、という優れた効果を奏する。
【図面の簡単な説明】
　【図１】
　本発明の実施形態に係るオープニングトリムとそれを形成する押出成形体とを併せて示す断面図である。
　【図２】
　同押出成形体の断面図である。
　【図３】
　同オープニングトリムの使用状態を示す図４のＩＩＩ−ＩＩＩ線断面図である。
　【図４】
　同オープニングトリムの装着位置を示す自動車の側面図である。
　【図５】
　従来のオープニングトリムとそれを形成する押出成形体とを併せて示す断面図である。
　【図６】
　従来のオープニングトリムの使用状態を示す断面図である。
　【図７】
　従来のオープニングトリムの変更例を示す断面図である。
　【符号の説明】
　　１　　　オープニングトリム
　　２　　　トリム部
　　２ａ　　連結壁
　　２ａｂ　折曲部
　　２ａｃ　折曲部
　　２ｂ　　一方の側壁
　　２ｃ　　他方の側壁
　　２ｄ　　把持リップ
　　３　　　中空シール部
　　４　　　意匠リップ部
　　６　　　ドア開口周囲部
　　７　　　フランジ
　　８　　　ドア
　　９　　　インナガーニッシュ
　１０　　　押出成形体
　１１　　　平板部
　１２　　　板金インサート
　１４　　　ルーフサイドアウタパネル
　１５　　　ルーフサイドインナパネル